(57)【要約】【課題】接触や衝突しても怪我するおそれが少ない防音パネル及びそれを備えた防音壁を提供する。【解決手段】騒音源からの騒音を吸収して騒音の拡散を抑える防音パネル１において、騒音源側となる正面が開放された金属筐体であるパネル本体２と、このパネル本体２に収容されて騒音を吸収する吸音材３と、を備え、このパネル本体２の正面を、繊維材からなりクッション性を有する面材４により吸音材３を収容した状態で被覆する。また、面材４を、左右の端部である支柱Ｈ１で隠蔽される位置において、短冊状の押え金物５を介してパネル本体２に固定する。【選択図】図２
2020114990.tif 000002
【特許請求の範囲】
【請求項１】
騒音源からの騒音を吸収して騒音の拡散を抑える人が接触する可能性のある防音壁を構築する防音パネルであって、
騒音源側となる正面が開放された金属筐体であるパネル本体と、前記パネル本体に収容されて騒音を吸収する吸音材と、を備え、
前記パネル本体の正面は、繊維材からなりクッション性を有する面材により前記吸音材を収容した状態で前記パネル本体が正面の上下端部まで被覆されており、
前記面材は、左右の端部である支柱で隠蔽される位置において、短冊状の押え金物を介して前記パネル本体に固定されていること
を特徴とする防音パネル。
【請求項２】
前記面材の目付量は、２１０ｇ／ｍ２以上７２０ｇ／ｍ２以下となっていること
を特徴とする請求項１に記載の防音パネル。
【請求項３】
前記パネル本体の背面には、曲げ剛性を向上させるための溝が形成され、前記溝の周囲にも前記吸音材が挿置されていること
を特徴とする請求項１又は２に記載の防音パネル。
【請求項４】
複数の支柱と、前記複数の支柱間に、騒音源からの騒音を吸収して騒音の拡散を抑える防音パネルが複数段に亘って挿置された人が接触する可能性のある防音壁であって、
前記防音パネルは、騒音源側となる正面が開放された金属筐体であるパネル本体と、前記パネル本体に収容されて騒音を吸収する吸音材と、を備え、
前記パネル本体の正面は、繊維材からなりクッション性を有する面材により前記吸音材を収容した状態で前記パネル本体が正面の上下端部まで被覆されており、
前記面材は、左右の端部である支柱で隠蔽される位置において、短冊状の押え金物を介して前記パネル本体に固定されていること
を特徴とする防音壁。
【請求項５】
前記面材の左右の両端部分は、短冊状の押え金物を介して前記パネル本体にねじ止め固定され、前記押え金物は、前記支柱で隠蔽されていること
を特徴とする請求項４に記載の防音壁。
【発明の詳細な説明】
【技術分野】
【０００１】
本発明は、騒音源からの騒音を吸収して騒音の拡散を抑える騒音パネル及び防音壁に関する。
【背景技術】
【０００２】
従来、道路や線路を走行する車両や工場などの騒音源から発せられる騒音の拡散を抑えるために、道路や線路の脇、又は敷地の境界付近に防音壁が設置されている。この種の防音壁は、一般に、Ｈ形鋼等からなる支柱間に、防音パネルを複数段に亘り嵌め込んで積み重ねることにより構築される。
【０００３】
防音パネルは、通常、孔開き又はスリット入りの箱状の金属筐体内に発泡樹脂や繊維材などの吸音材が収容されている。例えば、特許文献１には、前面板２０と、前記前面板２０に対向する背面板２２と、前記前面板２０と前記背面板２２とを繋ぐ底面板１２と、を備えるとともに、前記前面板２０、背面板２２及び底面板１２によって形成される収容空間２９の液体を排出する排出口４４が設けられたハウジング１６を備える吸音パネル１０が開示されている（特許文献１の特許請求の範囲の請求項１、明細書の段落［００１３］〜［００２７］、図面の図１〜図４等参照）。
【０００４】
従来の防音壁は、一般人特に子供達が遊びで走り回るような場所に設置するものではなかったが、近年では子供達特に園児達の騒ぐ声がうるさいとの意見を取り入れ、幼稚園の周囲に防音壁を設置することが検討されている。しかし、従来の設置場所と異なり、人、特に子供達が遊んで走り回るような場所に設置される場合には、以下の問題が発生することとなる。即ち、特許文献１に記載の吸音パネル１０は、開口部２４等の金属の鋭利な端面が露出しているため、吸音パネル１０に接触したり、衝突したりすると怪我をする危険性がある。特に、幼稚園や小学校など子供達が遊んで走り回るような場所に設置される防音パネルや防音壁には、高い安全性が求められるため、走り回って衝突しても怪我のおそれが少ない防音パネルや防音壁が切望されていた。
【０００５】
また、特許文献２には、騒音源に正面側が面する吸音部（１）と、吸音部の背面側に配置される背壁部（２１）を有し、吸音部の正面側を露出させた状態で吸音部を収容する収容部（２）と、収容部の上部に設けられ、吸音部の上部を支持する上部支持部（３）と、収容部の下部に設けられ、吸音部の下部を支持する下部支持部（４）と、収容部の側部に設けられた側壁部（５）と、を備える防音パネル（１００）が開示されている（特許文献２の特許請求の範囲の請求項１、明細書の段落［００２７］〜［００３９］、図面の図２等参照）。
【０００６】
しかし、特許文献２に記載の防音パネル（１００）は、騒音源側となる正面側に金属製の板を設けず、吸音部を露出させているものの、子供等の接触や衝突を考慮したものではなかった。このため、金属製の支持枠や中桟が露出しており、以前、子供等の接触や衝突による怪我の危険性を払拭することはできていないという問題があった。
【０００７】
さらに、特許文献２に記載の防音パネル（１００）などの従来の防音パネルは、道路や線路を走行する車両から発生する騒音や工場などから発生する機械音などの騒音を吸音することが主目的となっていた。このため、従来の防音パネルでは、これらの騒音と周波数帯が相違する人の声、特に、幼児の発する高音域（例えば、１０００Ｈｚ〜２０００Ｈｚ）の騒音を充分に吸音して防音することができないという問題もあった。
【先行技術文献】
【特許文献】
【０００８】
【特許文献１】特開２０１３−８３１１２号公報
【特許文献１】特開２０１６−１０８９３０号公報
【発明の概要】
【発明が解決しようとする課題】
【０００９】
そこで、本発明は、前述した問題に鑑みて案出されたものであり、その目的とするところは、接触や衝突しても怪我するおそれが少ない防音パネル及び防音壁を提供することにある。
【課題を解決するための手段】
【００１０】
第１発明に係る防音パネルは、騒音源からの騒音を吸収して騒音の拡散を抑える人が接触する可能性のある防音壁を構築する防音パネルであって、騒音源側となる正面が開放された金属筐体であるパネル本体と、前記パネル本体に収容されて騒音を吸収する吸音材と、を備え、前記パネル本体の正面は、繊維材からなりクッション性を有する面材により前記吸音材を収容した状態で前記パネル本体が正面の上下端部まで被覆されており、前記面材は、左右の端部である支柱で隠蔽される位置において、短冊状の押え金物を介して前記パネル本体に固定されていることを特徴とする。
【００１１】
第２発明に係る防音パネルは、第１発明において、前記面材の目付量は、２１０ｇ／ｍ２以上７２０ｇ／ｍ２以下となっていることを特徴とする。
【００１２】
第３発明に係る防音パネルは、第１発明又は第２発明において、前記パネル本体の背面には、曲げ剛性を向上させるための溝が形成され、前記溝の周囲にも前記吸音材が挿置されていることを特徴とする。
【００１３】
第４発明に係る防音壁は、複数の支柱と、前記複数の支柱間に、騒音源からの騒音を吸収して騒音の拡散を抑える防音パネルが複数段に亘って挿置されたが接触する可能性のある防音壁であって、前記防音パネルは、騒音源側となる正面が開放された金属筐体であるパネル本体と、前記パネル本体に収容されて騒音を吸収する吸音材と、を備え、前記パネル本体の正面は、繊維材からなりクッション性を有する面材により前記吸音材を収容した状態で前記パネル本体が正面の上下端部まで被覆されており、前記面材は、左右の端部である支柱で隠蔽される位置において、短冊状の押え金物を介して前記パネル本体に固定されていることを特徴とする。
【００１４】
第５発明に係る防音壁は、第４発明において、前記面材の左右の両端部分は、短冊状の押え金物を介して前記パネル本体にねじ止め固定され、前記押え金物は、前記支柱で隠蔽されていることを特徴とする。
【発明の効果】
【００１５】
第１発明〜第３発明によれば、金属筐体からなるパネル本体の正面がクッション性を有する面材により被覆されているので、幼児など人が接触したり衝突したりした場合であっても、指や身体の一部が挟まれるなど怪我するおそれが極めて少ない。
【００１６】
また、第１発明〜第３発明によれば、音が透過する隙間がある繊維材からなる面材で被覆されているので、面材で騒音を反射せずに透過させた騒音を吸音材で確実に吸音することができる。
【００１７】
その上、第１発明〜第３発明によれば、面材は、左右の端部である支柱で隠蔽される位置において、短冊状の押え金物を介してパネル本体に固定されているので、鋭利な金属部材が露出することなく、面材が弛んだり、撓んだり、しわが寄ったりすることを確実に防止できる。このため、見栄えが良いだけでなく、風雨で防音パネルが損傷するおそれも少なく耐久性が向上する。
【００１８】
特に、第２発明によれば、面材の目付量が２１０ｇ／ｍ２〜７２０ｇ／ｍ２となっているので、従来、吸音することが困難であった子供の声に相当する１０００Ｈｚ〜２０００Ｈｚの周波数帯の騒音を確実に吸音することができる。
【００１９】
特に、第３発明によれば、曲げ剛性を向上させるための溝が形成されているので、防音パネルの曲げ剛性が向上し、風荷重で防音パネルが損傷するおそれも少なく耐久性が向上する。また、溝の周囲の空隙にも吸音材が挿置されているので、空隙を作らず防音材を充填することにより撓みが防止され剛性及び耐久性が向上するだけでなく、吸音率がさらに向上し、騒音の拡散を抑えることができる。
【００２０】
第４発明によれば、金属筐体からなるパネル本体の正面がクッション性を有する面材により被覆されているので、幼児や子供など人が接触したり衝突したりした場合であっても、指や身体の一部が挟まれるなど怪我するおそれが極めて少ない。また、音が透過する隙間がある繊維材からなる面材で被覆されているので、面材で騒音を反射せずに透過させた騒音を吸音材で確実に吸音することができる。
【００２１】
特に、第５発明によれば、面材の左右の両端部分は、短冊状の押え金物を介してパネル本体にねじ止め固定され、この押え金物は、支柱で隠蔽されているので、鋭利な金属部材が露出することなく、面材が弛んだり、撓んだり、しわが寄ったりすることを確実に防止できる。このため、見栄えが良いだけでなく、風雨で防音パネルが損傷するおそれも少なく耐久性が向上する。
【図面の簡単な説明】
【００２２】
【図１】本発明の実施の形態に係る防音壁を示す全体正面図である。
【図２】本発明の実施の形態に係る防音パネルの構成を示す分解斜視図である。
【図３】同上の防音パネルを示す斜視図である。
【図４】同上の防音パネルを示す正面図である。
【図５】同上の防音パネルを示す鉛直断面図である。
【図６】同上の防音パネルのパネル本体単体を示す斜視図である。
【図７】同上のパネル本体単体を示す右側面図である。
【図８】同上の防音パネルの面材を示す斜視図である。
【図９】同上の防音パネルの押え金物を示す斜視図である。
【図１０】同上の防音パネルの垂直入射吸音率測定試験の結果を示すグラフである。
【発明を実施するための形態】
【００２３】
以下、本発明の実施形態に係る防音パネル及び防音壁について、図面を参照しながら詳細に説明する。
【００２４】
先ず、図１〜図９を用いて、本発明の実施形態に係る防音パネルについて説明する。図１は、本発明の実施の形態に係る防音壁を示す全体正面図である。図１に示すように、本発明の実施形態に係る防音パネル１は、複数のＨ形鋼や溝形鋼などの鋼製の支柱Ｈ１，・・・，Ｈ１の間に複数段（図示形態では５段）に亘って挿置され、騒音源からの騒音を吸収して騒音の拡散を抑える防音壁を構成するパネルである。
【００２５】
図２は、本発明の実施の形態に係る防音パネル１の構成を示す分解斜視図であり、図３は、防音パネル１を示す斜視図、図４は、防音パネル１の正面図である。図２〜図４に示すように、本実施形態に係る防音パネル１は、概形が横長な略直方体のパネルであり、後述の吸音材等で騒音源からの騒音を吸収して騒音の拡散を抑える機能を有している。
【００２６】
また、図２に示すように、本実施形態に係る防音パネル１は、正面が開放された金属筐体であるパネル本体２と、このパネル本体２に収容されて騒音を吸収する吸音材３と、このパネル本体２の上面を覆う面材４と、この面材４の左右の両端をパネル本体２に固定する押え金物５など、から構成されている。
【００２７】
（パネル本体）
図５は、防音パネル１を示す鉛直断面図であり、図６は、防音パネル１のパネル本体２単体を示す斜視図、図７は、パネル本体２を示す右側面図である。図５〜図７に示すように、本実施形態に係るパネル本体２は、防音パネル１の背面部（背面板）を構成する厚さ１．６ｍｍ程度の構造用の鋼板からなり、騒音側となる正面が開放された正面視矩形箱状の筐体である。
【００２８】
図５に示すように、このパネル本体２は、吸音材３を収容するとともに、防音パネル１全体の強度と曲げ剛性を確保する機能を有している。なお、正面視とは、騒音側から防音壁に直交する水平方向外側に見ることを指している、以下同じ。
【００２９】
図６、図７に示すように、このパネル本体２は、正面視矩形状の背面パネル２０と、この背面パネル２０の上端及び下端が折り返された上面パネル２１及び下面パネル２２と、これらの側面を塞ぐ左右の側面パネル２３，２４など、から構成されている。
【００３０】
背面パネル２０には、図５〜図７に示すように、上下の中央付近において、正面側へ折り曲げ加工されて断面台形状となった水平な一条の凹溝２０ａが形成されている。この凹溝２０ａは、背面パネル２０及び防音パネル１全体の曲げ剛性を向上させる機能を有している。
【００３１】
上面パネル２１及び下面パネル２２は、図５に示すように、いずれも背面パネル２０と接続する後端側から徐々に傾斜して正面側が高くなった略同一傾斜の傾斜面を有しており、正面側がいずれも鉛直面となった折返し部２１ａ，２２ａが形成されている。このため、上段の防音パネル１の下面パネル２２に、下段の防音パネル１の上面パネル２１が嵌合するように構成されており、上面パネル２１と下面パネル２２との嵌合で上下段の防音パネル１同士が風圧でもずれないように確実に嵌合されている。
【００３２】
なお、図示しないが、上面パネル２１及び下面パネル２２の長手方向の端部となる両端には、落下防止用のワイヤーを挿通する切欠きが形成されていてもよい。
【００３３】
側面パネル２３，２４は、左右対称に構成され、防音パネル１の長手方向端部の剛性を上げるため水平断面がコの字状となっており、正面側の折り返しが正面部２３ａ，２４ａ、背面側の折り返しが背面部２３ｂ（図示せず），２４ｂとなっている。この正面部２３ａ，２４ａは、後述の押え金物５の裏当て金の機能を有している（図５参照）。
【００３４】
また、図６、図７に示すように、背面部２３ｂ（図示せず），２４ｂには、前述の背面パネル２０の凹溝２０ａと連続する凹部２３ｃ（図示せず），２４ｃも形成されている。
【００３５】
（吸音材）
吸音材３は、樹脂繊維や発泡樹脂からなる吸音材であり、本実施形態に係る吸音材３は、ポリエステル樹脂の繊維材が採用されている。勿論、本発明に係る吸音材は、他の合成樹脂からなる繊維材でも良いし、発泡樹脂などの多孔質材などであっても良い。要するに、本発明に係る吸音材は、吸音材内において、音のエネルギーを熱エネルギーに変換して騒音を減衰して吸音できるものであれば適用可能である。
【００３６】
また、従来は、安価な構成で吸音効果を得るため、特許文献１及び２に記載されているように、吸音材の背面に空洞を設けられていた。しかし、本実施形態に係る吸音材３は、図２、図５に示すように、従来と同様の主の吸音材である正面視矩形の座布団状の主吸音材３０に加え、凹溝２０ａの上下にも、副吸音材として上吸音材３１と、下吸音材３２が挿置されている。このため、防音パネル１は、吸音効率が向上している。
【００３７】
特に、後背空気層の吸音効果は、既知のように、吸音できる周波数帯域を低周波側へ移行させて、１０００Ｈｚ以下の比較的低周波数帯域での吸音効果を上げるものといえる。このため、後背空気層を設けることに代えて、上吸音材３１及び下吸音材３２を挿置することにより、防音パネル１の高周波数帯、特に、子供の声の音域である１０００Ｈｚ〜２０００Ｈｚでの吸音効果を向上させることができる。
【００３８】
（面材）
本実施形態に係る面材４は、ポリエステル繊維などの樹脂繊維からなる繊維材の不織布である。面材４を繊維材とするのは、繊維材の繊維の隙間から騒音をある程度透過して騒音源から遠い背面側にある前述の吸音材３で吸音するためである。
【００３９】
また、面材４は、子供など人が衝突しても怪我をしない程度のクッション性を有している。面材４がクッション性を有していることで、素材が固すぎず、騒音を反響させてしまうことがなく、吸音率の向上にも資するものと考えられる。このように、本実施形態に係る面材４は、クッション性を持たせるため、ポリエステル繊維を固めて厚さが３ｍｍ〜８ｍｍになるように圧縮成形されている。
【００４０】
このように、本実施形態に係る面材４の厚さを一定範囲とすることにより、面材４が薄過ぎず撓んだりしわがよったりすることなく面材４の所定の形状を保持することができる。その上、面材４が厚過ぎず所定の形状に折り曲げ形成することができ、パネルを上下に嵌合させることができる。
【００４１】
また、図５に示すように、面材４は、上端が上面パネル２１の傾斜面にビスＶ１でねじ止めされ、下端が下面パネル２２の折返し部２２ａにビスＶ１でねじ止めされている。また、左右の両端部は、後述のように、押え金物５を介してパネル本体２にねじ止め固定されている。
【００４２】
その上、図５、図８に示すように、面材４の上端付近は、パネル本体２同士の嵌合形状に応じて階段状の折り目４ａが形成されており、下端付近には、前述の１８０度折り返された折返し部４ｂが形成されている。図８は、防音パネル１の面材４を示す斜視図である。この折り目４ａ及び折返し部４ｂは、図８に示すように、不織布として圧縮成形される際に既に折り目が形成されている。このため、防音パネル１同士の嵌合部分においても、面材４が弛んだり、撓んだり、しわが寄ったりすることがない。よって、施工時においても、防音パネル１同士の嵌合不良等が起こる心配がなく、さらに防音パネル１の耐久性が向上する。
【００４３】
（押え金物）
押え金物５は、図５、図９に示すように、鋼板からなり、短冊帯板状の押え金物本体５０と、上端に設けられた段部５１など、から構成されている。この段部５１は、上段の防音パネル１の嵌合部である下面パネル２２内に収まるように階段状に折り曲げ成形されたものである。また、これらの押え金物本体５０及び段部５１には、前述の側面パネル２３，２４の正面部２３ａ，２４ａに、ビスでねじ止めするためのビス孔５ａが複数穿設されている。図９は、防音パネル１の押え金物５を示す斜視図である。
【００４４】
この押え金物５は、面材４の長手方向の左右の両端を上から押えてパネル本体２の側面パネル２３，２４に固定する機能を有している。そして、この押え金物５は、図３等に示すように、左右の端部である支柱で隠蔽される位置に取り付けられる。このため、図１に示すように、鋭利な金属部材が露出することが無いうえ、面材４が弛んだり、撓んだり、しわが寄ったりすることを確実に防止できる。よって、見栄えが良いだけでなく、風雨で防音パネルが損傷するおそれも少なく耐久性が向上する。
【００４５】
なお、押え金物５のパネル本体２への固定は、ビスなどのねじ止め固定に限られず、ワンサイドボルト等によるボルト固定（ねじ止め固定）や、リベット等によるリベット固定でもよいことは云うまでもない。
【００４６】
＜垂直入射吸音率測定試験＞
次に、図１０を用いて、防音パネルの面材の目付量と吸音率の関係について説明する。図１０は、防音パネル１の垂直入射吸音率測定試験の結果を示すグラフである。この垂直入射吸音率測定試験は、JIS A 1405規格に基づき、音響管を用いて、前述の防音パネル１の面材４の不織布の目付量と厚さを種々変更して、面材４及び吸音材３（２４Ｋ５０ｍｍ厚）に対して音が垂直に入射するときの吸音率を１／３オクターブ毎の各周波数において測定したものである。
【００４７】
図１０に示すように、不織布の厚さに関係なく、特に、目付量６１０ｇ／ｍ２の不織布は、広範囲の周波数帯域で吸音性能が優れていることが把握できる。また、今回実験した目付量が２１０ｇ／ｍ２〜７２０ｇ／ｍ２の不織布は、いずれも子供の声の音域である１０００Ｈｚ〜２０００Ｈｚにおいて吸音率０．７をクリアしていることが分かる。よって、面材４の目付量を２１０ｇ／ｍ２〜７２０ｇ／ｍ２とすることにより、従来、吸音することがあまり想定されておらず困難であった子供の声に相当する１０００Ｈｚ〜２０００Ｈｚの周波数帯の騒音を確実に吸音することができると云える。
【００４８】
なお、吸音率０．７以上を条件としたのは、道路騒音向け遮音壁には、４００Ｈｚで吸音率０．７以上、１０００Ｈｚで０．８以上というＮＥＸＣＯ遮音壁音響基準があるからである。しかし、ＮＥＸＣＯ遮音壁音響基準は、残響室法吸音率の測定方法（JIS A 1409）で実施されており、前述のJIS A 1405規格の音響管による吸音率及びインピーダンスの測定の吸音率とは異なる。一般に、残響室法による吸音率は、音響管の吸音率より０．１〜０．２程度向上する傾向となる。したがって、前述の基準と測定方法による違いを考慮して対象周波数１０００〜２０００Ｈｚにおいて、音響管による測定結果が０．７以上となれば十分な効果を発揮すると考えられる。このため、吸音率０．７を一つの指標とした。
【００４９】
＜防音パネル１及び防音壁の作用効果＞
従来、紫外線や風雨を避けるため、吸音材を金属製のパネル筐体や、特許文献２で示した金属製の支持枠や中桟で被覆隠蔽していた。しかし、以上説明した防音パネル１及び防音壁によれば、クッション性を有する繊維材の不織布からなる面材４で吸音材３を被覆しているので、幼児や子供など人が接触したり衝突したりした場合であっても、指や身体の一部が挟まれるなど怪我するおそれが極めて少ない。また、騒音を面材４で反射せずに透過させて吸音材３で確実に吸音することができる。
【００５０】
また、防音パネル１及び防音壁によれば、面材４は、左右の端部である支柱Ｈ１で隠蔽される位置において、押え金物５を介してパネル本体２にねじ止め固定されているので、鋭利な金属部材が露出することがない。また、面材４が弛んだり、撓んだり、しわが寄ったりすることを確実に防止できる。このため、防音パネル１及び防音壁によれば、見栄えが良いだけでなく、風雨で防音パネル１が損傷するおそれも少なく耐久性が向上する。
【００５１】
その上、防音パネル１及び防音壁によれば、面材４は、パネル本体２の上下の嵌合形状に応じて折り目が形成されているので、防音パネル１のパネル同士の嵌合部分の付近においても、面材４が弛んだり、撓んだり、しわが寄ったりすることがない。このため、施工時においても、防音パネル１のパネル同士の嵌合不良等が起こる心配がなく、さらに防音パネルの耐久性が向上する。
【００５２】
それに加え、防音パネル１及び防音壁によれば、パネル本体２の凹溝２０ａの上下の空隙にも副吸音材である上吸音材３１及び下吸音材３２が挿置されている。このため、凹溝２０ａにより防音パネル１の曲げ剛性及び耐久性が向上するだけでなく、上吸音材３１，下吸音材３２により、吸音率がさらに向上し、騒音の拡散を抑えることができる。特に、従来の後背空気層を設けることに代えて、上吸音材３１及び下吸音材３２を挿置することにより、防音パネル１の高周波数帯、特に、幼児や子供の声の音域である１０００Ｈｚ〜２０００Ｈｚでの吸音効果を向上させることができる。
【００５３】
以上、本発明の実施形態に係る防音パネル１及び防音壁について詳細に説明したが、前述した又は図示した実施形態は、いずれも本発明を実施するにあたって具体化した一実施形態を示したものに過ぎない。よって、これらによって本発明の技術的範囲が限定的に解釈されてはならないものである。特に、面材としてポリエステル繊維からなる不織布を例示して説明したが、本発明に係る面材は、不織布に限られず、繊維材からなりクッション性を有する素材であれば、代替可能である。
【符号の説明】
【００５４】
１：防音パネル
２：パネル本体
２０：背面パネル
２１：上面パネル
２２：下面パネル
２１ａ，２２ａ：折返し部
２３，２４：側面パネル
２３ａ，２４ａ：正面部
（２３ｂ）２４ｂ：背面部
３：吸音材
３０：主吸音材
３１：上吸音材
３２：下吸音材
４：面材
４ａ：折り目
４ｂ：折返し部
５：押え金物
５０：押え金物本体
５１：段部
Ｈ１：支柱
Ｖ１：ビス
【図１】
2020114990.tif 000003
【図２】
2020114990.tif 000004
【図３】
2020114990.tif 000005
【図４】
2020114990.tif 000006
【図５】
2020114990.tif 000007
【図６】
2020114990.tif 000008
【図７】
2020114990.tif 000009
【図８】
2020114990.tif 000010
【図９】
2020114990.tif 000011
【図１０】
2020114990.tif 000012